(57)【要約】【課題】回収した廃蒸気と空気を有効に活用することのできる廃蒸気回収装置を提供する。【解決手段】  廃蒸気通路１に廃蒸気タンク２を接続する。廃蒸気タンク２の上部に管路６を介して蒸気エゼクタ３，４の吸込室７，８と接続する。蒸気エゼクタ３，４は、切換弁９，１０の操作に応じて、接続位置を並列状態あるいは直列状態とすることができる。蒸気エゼクタ３，４の出口側を、出口管１４によって、液体圧送部材５の高圧操作流体導入口１５と接続する。  廃蒸気並びに廃蒸気に含まれる空気を、蒸気エゼクタ３，４で吸引して、液体圧送部材５の高圧操作流体として活用することができる。【選択図】図１
2011127790.tif 000002
【特許請求の範囲】
【請求項１】
蒸気装置から流下してくる廃蒸気を所定箇所へ排出するものにおいて、廃蒸気の流下する廃蒸気通路を、蒸気エゼクタの吸込室に接続すると共に、蒸気エゼクタの出口側を液体圧送部材の高圧操作流体導入口と接続したことを特徴とする廃蒸気回収装置。
【発明の詳細な説明】
【技術分野】
【０００１】
本発明は、例えばシュリンクトンネルやスチーマーやゴムの加硫器等の各種蒸気使用装置から廃棄される廃蒸気を、熱交換して回収することにより、工場建屋の内部あるいは外部でモヤモヤと立ち込める廃蒸気を無くすことのできる廃蒸気回収装置に関する。
【背景技術】
【０００２】
廃蒸気回収装置は、蒸気使用装置としてのシュリンクトンネルと、エゼクターと液体タンクと循環ポンプで構成された真空吸引手段とを、廃蒸気回収パイプで接続したもので、シュリンクトンネルからの廃蒸気を真空吸引手段で吸引することによって、モヤモヤと立ち込める廃蒸気を無くすことができるものである。
【０００３】
この廃蒸気回収装置においては、廃蒸気並びに廃蒸気に含まれる空気を、真空吸引手段でただ単に回収することができるにすぎず、回収した廃蒸気と空気を有効に活用することができない問題があった。
【先行技術文献】
【特許文献】
【０００４】
【特許文献１】特開２００２−５５８２号公報
【発明の概要】
【発明が解決しようとする課題】
【０００５】
解決しようとする課題は、回収した廃蒸気と空気を有効に活用することのできる廃蒸気回収装置を提供すること。
【課題を解決するための手段】
【０００６】
本発明は、蒸気装置から流下してくる廃蒸気を所定箇所へ排出するものにおいて、廃蒸気の流下する廃蒸気通路を、蒸気エゼクタの吸込室に接続すると共に、蒸気エゼクタの出口側を液体圧送部材の高圧操作流体導入口と接続したものである。
【発明の効果】
【０００７】
本発明の廃蒸気回収装置は、廃蒸気並びに廃蒸気に含まれる空気を、蒸気エゼクタで吸引して、液体圧送部材の高圧操作流体として活用することができる。
【図面の簡単な説明】
【０００８】
【図１】本発明の廃蒸気回収装置の実施例を示す構成図。
【発明を実施するための最良の形態】
【０００９】
本発明は、液体圧送部材を用いるものであるが、この液体圧送部材は従来周知のものを適宜用いることができる。
【実施例１】
【００１０】
本実施例においては図１に示すように、廃蒸気通路１と、この廃蒸気通路１に接続した廃蒸気タンク２と、廃蒸気タンク２と連通した蒸気エゼクタ３，４、及び、液体圧送部材５とで廃蒸気回収装置を構成する。
【００１１】
廃蒸気タンク２の上部に管路６を介して蒸気エゼクタ３，４の吸込室７，８と接続する。管路６と吸込室８の間には三方切換弁９を介在する。蒸気エゼクタ３の出口側は、三方切換弁９と、分岐した二方切換弁１０及び逆止弁１１とそれぞれ連通する。
【００１２】
蒸気エゼクタ３，４は、蒸気管１２から供給される高圧蒸気によって吸込室７，８で所定の吸引力を発生するものであり、廃蒸気タンク２内の廃蒸気を、管路６から吸引することができるものである。
【００１３】
廃蒸気タンク２は縦長円筒状で、左側面中央部に廃蒸気通路１を接続する。また、廃蒸気タンク２の下部には、廃蒸気が凝縮して生じた復水を外部へ排出する復水排出管１３を接続する。
【００１４】
蒸気管１２から供給される高圧蒸気は、エゼクタ３，４の吸込室７，８に内蔵されたノズル部へ供給され、このノズル部で駆動蒸気は絞られて高速流となることによって、吸引力を発生して管路６から廃蒸気を吸引する。吸引された廃蒸気は駆動蒸気と混合されて出口管１４から液体圧送部材５の高圧操作流体導入口１５へ供給される。
【００１５】
蒸気エゼクタ３，４の管路６から吸入する廃蒸気量が多い場合は、二方切換弁１０を開弁すると共に、三方切換弁９を操作して、管路６と吸込室８を連通することによって、２つの蒸気エゼクタ３，４の接続位置が並列状態となり、双方の蒸気エゼクタ３，４で管路６を介して多量の廃蒸気を吸入することができる。
【００１６】
管路６から吸入する廃蒸気量が少ない場合は、二方切換弁１０を閉弁すると共に、三方切換弁９を操作して、蒸気エゼクタ３の出口側と蒸気エゼクタ４の吸込室８を連通することによって、２つの蒸気エゼクタ３，４の接続位置が直列状態となり、管路６から蒸気エゼクタ３の吸込室７へ吸入された蒸気が、三方切換弁９を通って他方の蒸気エゼクタ４の吸込室８へ吸入され、出口管１４から液体圧送部材５の高圧操作流体導入口１５へ供給される。
【００１７】
液体圧送部材５は、高温復水流入口１６と復水流出口１７、及び、高圧操作流体導入口１５と高圧操作流体排出口１８を有し、高温復水流入口１６に逆止弁１９を介して復水供給管２０を接続する。逆止弁１９は、復水供給管２０から液体圧送部材５内への復水の流下を許容し、反対方向の流れは阻止するものである。同様に、復水流出口１７に逆止弁２１を介して復水排出管２２を接続する。この逆止弁２１は、液体圧送部材５内から復水排出管２２への復水の流下を許容し、反対方向の流れは阻止する機能を有する。
【００１８】
高圧操作流体排出口１８は管路２３によって廃蒸気タンク２と連通する。
【００１９】
液体圧送部材５は、内部に配置した図示しないフロートが下方部に位置する場合に、高圧操作流体導入口１５を閉口し、一方、排出口１８を開口して、復水供給管２０から復水を逆止弁１９と高温復水流入口１６を通して液体圧送部材５内に流下させる。
【００２０】
液体圧送部材５内に復水が溜まって図示しないフロートが所定上方部に位置すると、高圧操作流体排出口１８を閉口し、一方、高圧操作流体導入口１５を開口して、出口管１４から高圧圧送用蒸気を内部に流入させることにより、内部に溜まった復水を復水流出口１７と逆止弁２１と復水排出管２２を通して所定箇所へ圧送する。
【００２１】
復水が圧送されて液体圧送部材５内の液位が低下すると、再度、高圧操作流体導入口１５を閉口し、排出口１８を開口することにより、高温復水流入口１６から高温復水を内部へ流下させる。このような作動サイクルを繰り返すことにより、液体圧送部材５は、復水供給管２０からの復水を所定箇所へ圧送する。
【産業上の利用可能性】
【００２２】
本発明は、各種蒸気使用装置から廃棄される廃蒸気を、熱交換して回収するものに利用することができる。
【符号の説明】
【００２３】
１  廃蒸気通路
２  廃蒸気タンク
３，４  蒸気エゼクタ
５  液体圧送部材
６  管路
７，８  吸込室
９  三方切換弁
１０  二方切換弁
１２  蒸気管
１４  出口管
１５  高圧操作流体導入口
１６  高温復水流入口
１７  復水流出口
１８  高圧操作流体排出口
２０  復水供給管
２２  復水排出管
【図１】
2011127790.tif 000003